(57)【要約】【課題】複数の物品を上下方向に積層した場合と同等の積載量を確保することが可能なパレットであって、積載した物品をその積載位置に拘らず簡易迅速に取り出すことが可能で、しかも、積み込みおよび荷下ろしが容易なパレットを提供することを課題とする。【解決手段】パレット本体１と、このパレット本体１に立設される二列の外側柱列３，３と、二列の外側柱列３，３の間に配置される少なくとも一列の内側柱列５とを備え、内側柱列５を挟んで両側に物品を積載可能なパレットＰ１であって、外側柱列３は、パレット本体１の側部に沿って配置される複数の外側支柱３１，３１，…からなり、内側柱列５は、物品に沿って配置される複数の内側支柱５１，５１，…からなり、内側支柱５１は、パレット本体１に着脱可能に立設されることを特徴とする。【選択図】図１
2007320572.tif 000002
【特許請求の範囲】
【請求項１】
パレット本体と、
前記パレット本体に立設される二列の外側柱列と、
前記二列の外側柱列の間に配置される少なくとも一列の内側柱列とを備え、
前記内側柱列を挟んで両側に物品を積載可能なパレットであって、
前記外側柱列は、前記パレット本体の側部に沿って配置される複数の外側支柱からなり、
前記内側柱列は、前記物品に沿って配置される複数の内側支柱からなり、
前記内側支柱は、前記パレット本体に着脱可能に立設されることを特徴とするパレット。
【請求項２】
前記内側支柱には、緩衝材が設けられていることを特徴とする請求項１に記載のパレット。
【請求項３】
前記二列の外側柱列は、前記パレット本体を挟んで対向していることを特徴とする請求項１又は請求項２に記載のパレット。
【請求項４】
前記外側支柱は、前記パレット本体に着脱可能に立設されることを特徴とする請求項１乃至請求項３のいずれか一項に記載のパレット。
【発明の詳細な説明】
【技術分野】
【０００１】
本発明は、物品を搬送・保管等する際に使用されるパレットに関する。
【背景技術】
【０００２】
押出形材等の長尺の物品を搬送・保管等する際に使用されるパレットが特許文献１に開示されている。このパレットは、複数の物品を上下方向に積層して搬送等することを想定して開発されたものであり、パレット本体と、このパレット本体の対向する二辺の各々に立設された一対の支柱とを備えて構成されている。複数の物品を積層してパレットに積載すれば、多数の物品を一度に搬送等することが可能となるため、搬送効率や保管効率が向上し、ひいては、物品の搬送や保管等に要するコストを削減することが可能となる。なお、複数の物品を上下方向に積層して搬送・保管等すると、下にある物品を先に取り出すことができないので、上から順番に物品を取り出す必要がある。
【特許文献１】実公平３−８５８６号公報
【発明の開示】
【発明が解決しようとする課題】
【０００３】
パレットに積載した複数の物品の種類が総て同一である場合には、下にある物品を先に取り出す必要はないが、異なる場合には、下にある物品を先に取り出したい場合もある。例えば、物品の種類ごとに配送場所が異なる場合には、最初の配送場所で荷下ろしされる物品を一番上に積載するので、交通事情等によって配送順序が入れ替わった場合には、下にある物品を先に取り出す必要がある。また、例えば、複数種類の物品を組付順に積載する場合には、最初に組み付けられる物品を一番上に積載するので、何らかの事情によって組付順序が入れ替わった場合には、下にある物品を先に取り出す必要がある。
【０００４】
ところが、下にある物品を先に取り出す場合には、上にある物品を一旦取り出さなければならないうえに、取り出した物品を再度積載しなければならないことから、搬送効率や作業効率が悪化してしまう。
【０００５】
このような観点から、本発明は、複数の物品を上下方向に積層した場合と同等の積載量を確保することが可能なパレットであって、積載した物品をその積載位置に拘らず簡易迅速に取り出すことが可能で、しかも、積み込みおよび荷下ろしが容易なパレットを提供することを課題とする。
【課題を解決するための手段】
【０００６】
このような課題を解決する本発明は、パレット本体と、前記パレット本体に立設される二列の外側柱列と、前記二列の外側柱列の間に配置される少なくとも一列の内側柱列とを備え、前記内側柱列を挟んで両側に物品を積載可能なパレットであって、前記外側柱列は、前記パレット本体の側部に沿って配置される複数の外側支柱からなり、前記内側柱列は、前記物品に沿って配置される複数の内側支柱からなり、前記内側支柱は、前記パレット本体に着脱可能に立設されることを特徴とする。
【０００７】
本発明に係るパレットによると、複数の物品を横並びに積載することが可能となるので、積載した物品を、その積載位置に拘らず簡易迅速に取り出すことが可能となる。
【０００８】
また、本発明に係るパレットによると、物品間に配置される内側支柱を着脱可能にパレット本体に立設したので、内側支柱を着脱不能にパレット本体に立設してなるパレットに比べて、物品を迅速且つ容易に積み下ろし（すなわち、積み込みおよび荷下ろし）が可能となる。すなわち、内側支柱が着脱不能である場合には、内側支柱の存在を気にしながら物品を積み下ろさなければならないので、ゆっくりとした動作で物品を取り扱わなければならないが、内側支柱が着脱可能である本発明に係るパレットによれば、内側支柱を取り外すことで、内側支柱の存在を気にせずに物品を積み下ろすことが可能となるので、素早い動作で物品を取り扱うことが可能となる。また、本発明に係るパレットによれば、内側支柱を取り外した状態で物品を積み下ろすことが可能となるので、内側支柱で物品を傷つけることもない。
【０００９】
さらに、本発明に係るパレットによると、着脱不能な内側支柱を備えるパレットに比べて、物品を密に積載することが可能となるので、複数の物品を上下方向に積層した場合と同等の積載量を確保することが可能となる。すなわち、内側支柱が着脱不能である場合には、積み下ろす際に物品が内側支柱に接触しないように、物品と内側支柱との間に大きな隙間を確保しておく必要があるので、物品を上下に積層する場合に比べて、物品の積載量を少なくせざるを得ないが、本発明に係るパレットによれば、内側支柱を取り外した状態で物品を積み込むことが可能となり、しかも、積み込み順に内側支柱を取り付けることが可能になるので、物品と内側支柱との間に大きな隙間を確保する必要はなく、したがって、物品を密に積載することが可能となる。
【００１０】
なお、本発明に係るパレットにおいては、外側柱列および内側柱列によって物品の倒れや横ズレが防止されることになるが、外側柱列および内側柱列が細長の「柱」で構成されているので、物品の倒れ等を板材で防止するパレットよりも、軽量にすることが可能となる。パレットが軽量になれば、その分だけ物品の積載量を増やすことができるので、搬送効率が向上することになる。
【００１１】
本発明においては、前記内側支柱に、緩衝材が設けられてことが望ましい。内側支柱に緩衝材を取り付けておけば、物品と内側柱列との間に緩衝材を挟み込む手間を省くことが可能となり、加えて、内側支柱を介して物品に加わる搬送中の振動や衝撃を和らげることが可能となる。なお、より好適には、内側支柱を緩衝材で囲繞するとよい。
【００１２】
また、本発明においては、前記二列の外側柱列を、前記パレット本体を挟んで対向させるとよい。このようにすると、パレット本体の上に、他のパレットを積層することが可能となるので、物品を積載していない空荷のパレットを効率よく搬送・保管することが可能となる。
【００１３】
なお、内側支柱だけでなく、前記外側支柱を前記パレット本体に着脱可能に立設してもよい。このようにすると、外側支柱を取り外すことで、外側支柱の存在を気にせずに物品を積み下ろすことが可能となるので、素早い動作で物品を取り扱うことが可能となる。
【発明の効果】
【００１４】
本発明に係るパレットによると、複数の物品を上下方向に積層した場合と同等の積載量を確保することが可能になるとともに、積載した物品をその積載位置に拘らず簡易迅速に取り出すことが可能となり、しかも、積み込みも荷下ろしも迅速且つ容易に行うことが可能となる。
【発明を実施するための最良の形態】
【００１５】
（第一の実施形態）
第一の実施形態に係るパレットＰ１は、図１に示すように、パレット本体１と、このパレット本体１に立設される二列の外側柱列３，３と、この二列の外側柱列３，３の間に配置される少なくとも一列（本実施形態では五列）の内側柱列５とを備えて構成されていて、内側柱列５を挟んで両側に物品を積載可能になっている。なお、以下では、トラックのアオリなど長尺の板状部材の搬送・保管に適したパレットＰ１を例示するが、パレットＰ１に積載される物品の種類や形状を限定する趣旨ではない。
【００１６】
パレット本体１は、物品が載置される架台であり、本実施形態では、横長の矩形枠状（梯子状）を呈している。図２を参照してより詳細に説明すると、本実施形態に係るパレット本体１は、並列して配置された一対の主材１１，１１と、この主材１１，１１の内側に配置された一対の補強材１２，１２と、一対の主材１１，１１または一対の補強材１２，１２を連結する複数の横桟１３，１３，…と、主材１の下側に配置された一対のフォークガイド１４，１４とを備えて構成されている。
【００１７】
主材１１、補強材１２および横桟１３は、アルミニウム合金製の押出形材や鋼製の形材を利用して形成されていて、溶接により互いに接合されている。本実施形態では、角形（断面四角形）の中空形材を利用して主材１１、補強材１２および横桟１３を形成しているが、溝形、山形、Ｈ形、Ｉ形を呈する形材を利用して形成しても勿論差し支えない。
【００１８】
補強材１２は、主材１１の長手方向の中央部に配置されている。補強材１２は、主材１１に沿って配置されていて、本実施形態では、主材１１の内側の側面（他方の主材と対向する側面）に固着されている。また、補強材１２の上面は、主材１１の上面と面一になっている。
【００１９】
横桟１３は、主材１１または補強材１２と直交するように配置されていて、両端部のそれぞれが主材１１の内側の側面（他方の主材１１と対向する側面）または補強材１２の内側の側面に固着されている。また、横桟１３の上面は、主材１１および補強材１２の上面と面一になっている。
【００２０】
フォークガイド１４は、図示せぬフォークリフトのフォークをガイドするものであり、主材１１の長手方向の中央部に配置されている。フォークガイド１４は、本実施形態では、溝形を呈する形材からなり、その開口面を上にした状態で主材１１の下面および補強材１２の下面に溶接により固着されている。なお、山形の形材や角形の中空形材を利用してフォークガイド１４を形成しても勿論差し支えない。
【００２１】
外側柱列３は、積載した物品の荷崩れを防止するものであり、パレット本体１の長辺に沿って配置された少なくとも二つ（本実施形態では九つ）の外側支柱３１，３１，…からなる。すなわち、主材１１に沿って一直線上に列立された複数の外側支柱３１，３１，…の集合体によって外側柱列３が構成されている。なお、二列の外側柱列３，３は、パレット本体１を挟んで対向している。
【００２２】
外側支柱３１は、本実施形態では、パレット本体１の外側に配置されている。外側支柱３１，３１，…をパレット本体１の外側に位置させることで、二列の外側柱列３，３がパレット本体１を挟んで対向することになる。なお、外側支柱３１の上端は、物品の上端および内側支柱５１の上端よりも上方に突出している（図６の（ｂ）参照）。これは、複数のパレット１を上下に積み重ねたときに（図９参照）、上段の外側支柱３１の台座３２で幅の広い物品を損傷しないようにするためである。外側支柱３１は、アルミニウム合金製の押出形材や鋼製の形材を利用して形成されていて、図３にも示すように、パレット本体１の外側の側面に配置された外側サポート４を介してパレット本体１に立設されている。なお、本実施形態では、角形の中空形材を利用して外側支柱３１を形成しているが、溝形や山形を呈する形材を利用して形成しても勿論差し支えない。また、本実施形態では、外側支柱３１が横桟１３の中心線の延長線上に位置している場合を例示しているが、外側支柱３１の設置位置を限定する趣旨ではない。
【００２３】
図２に示すように、一の外側柱列３を構成する複数の外側支柱３１，３１，…のうちの少なくとも二つ（本実施形態では四つ）は、パレット本体１の下側（より詳細には、フォークガイド１４の下側）まで延出していて、パレット本体１の支持脚としての役割をも担っている。図３に示すように、支持脚となる外側支柱３１の下端部には、円錐台状の台座３２が固着されている。また、支持脚となる外側支柱３１には、その下部と上部のそれぞれに、横Ｌ字状を呈するフック３３，３３が固着されている。フック３３には、物品を結束する荷紐が掛止される。
【００２４】
図３に示すように、外側支柱３１の側面には、積載した物品の損傷を防止するための緩衝材３４が貼着されている。緩衝材３４は、本実施形態では、帯状を呈していて、物品と接触する可能性のある外側支柱３１の内側の側面（パレット本体１側の側面）を覆っている。緩衝材３４の材質や寸法形状等に特に制限はないが、積載される物品の材質や形状等に適した硬度を有する材料を利用することが望ましく、より好適には、材料調達が容易な天然ゴム、合成ゴム、硬質ウレタン、発泡ポリスチレンなどを利用することが望ましい。
【００２５】
外側サポート４は、外側支柱３１を保持するものであり、本実施形態では、対向して配置された一対の支持ブラケット４１，４１により構成されている。支持ブラケット４１は、山形（断面Ｌ字形）を呈しており、パレット本体１の側面（すなわち、主材１１の外側の側面）と外側支柱３１の側面とに溶接により固着されている。
【００２６】
図１に示す内側柱列５は、積載した物品の荷崩れを防止するとともに、横並びに積載される複数の物品を仕切るものであり、積載した物品に沿って配置される少なくとも二つ（本実施形態では四つ）の内側支柱５１，５１，…からなる。すなわち、パレット本体１の長辺（すなわち、主材１１）に沿って一直線上に列立された複数の内側支柱５１，５１，…の集合体によって内側柱列５が構成されている。
【００２７】
内側支柱５１は、パレット本体１に着脱可能に立設されている。内側支柱５１の上端は、物品の上端よりも低位置にある（図６の（ｂ）参照）。内側支柱５１は、本実施形態では、アルミニウム合金製の押出形材や鋼製の形材を利用して形成されていて、図４に示すように、パレット本体１の横桟１３の側面に配置された内側サポート６を介してパレット本体１に立設されている。本実施形態では、角形の中空形材を利用して内側支柱５１を形成しているが、溝形や山形を呈する形材を利用して形成しても勿論差し支えない。
【００２８】
内側支柱５１は、その下端部に、内側サポート６の内部に挿入される挿入部５１ａを具備している。挿入部５１ａは、内側サポート６の内空形状と略等しい外形を有し、内側サポート６に抜き差しされる。挿入部５１ａの上側には、内側サポート６に係止される係止部５１ｂが形成されている。係止部５１ｂは、本実施形態では、内側支柱５１の外周面に突設された突条からなり、挿入部５１ａを内側サポート６に挿入したときに、内側サポート６の上面に係止され、内側支柱５１の下方への抜け落ちを防止する。なお、図示は省略するが、内側支柱５１に取り付けた緩衝材５２の下端部５２ｂを係止部５１ｂの代わりとしてもよい。
【００２９】
内側支柱５１には、積載した物品の損傷を防止するための緩衝材５２が設けられている。本実施形態では、内側支柱５１の四つの側面の各々に、緩衝材５２が貼着されている。すなわち、内側支柱５１が緩衝材５２，５２，…で囲繞されている。内側支柱５１の外面を緩衝材５２，５２，…で囲繞しておけば、内側支柱５１を内側サポート６に挿入する際に「向き」を考慮する必要がなくなるので、積み込み作業を迅速に行うことが可能となる。なお、図示は省略するが、内側支柱５１の対向する二面のみに緩衝材５２，５２を貼着しても勿論差し支えない。緩衝材５２は、本実施形態では、帯状を呈していて、係止部５１ｂよりも上側において物品と接触する可能性のある内側支柱５１の側面を覆っている。緩衝材５２の材質や寸法形状等に特に制限はないが、積載される物品の材質や形状等に適した硬度を有する材料を利用することが望ましく、より好適には、材料調達が容易な天然ゴム、合成ゴム、硬質ウレタン、発泡ポリスチレンなどを利用することが望ましい。
【００３０】
内側サポート６は、内側支柱５１を着脱可能に保持するものであり、本実施形態では、接続板６１を介してパレット本体１の横桟１３の側面に固着されている。内側サポート６は、内側支柱５１の挿入部５１ａを挿入可能な内空を有する角形の中空形材からなる。接続板６１には、内側柱列５の列数と同数（本実施形態では五つ）の内側サポート６，６，…が溶接により固着されており、接続板６１を横桟１３の側面に溶接により固着することで、複数の内側サポート６，６，…が一括して横桟１３の側面に固着される。なお、図示は省略するが、接続板６１を省略し、内側サポート６を直に横桟１３に固着しても差し支えない。
【００３１】
次に、主に図５乃至図８を参照してパレットＰ１の使用方法の一例を説明する。なお、以下の説明においては、図６の（ｂ）に示すように、外側柱列３とこれに隣接する内側柱列５との間および隣り合う内側柱列５，５間に、物品Ａを二つずつ積載する場合を例示する。物品Ａは、板状を呈する長尺の部材であり、図６の（ｂ）の紙面垂直方向に連続している。
【００３２】
パレットＰ１に複数の物品Ａ，Ａ，…を積み込む前に、図５の（ａ）に示すように、まず、総ての内側柱列５，５，…をパレット本体１から取り外す。すなわち、総ての内側支柱５１，５１，…を内側サポート６から引き抜いて、外側柱列３，３の間に仕切の無い空間を形成する（図２参照）。
【００３３】
総ての内側柱列５，５，…を取り外したら、図５の（ｂ）に示すように、一方の外側柱列３に沿って、一列目の物品Ａを立てた状態で積み込み、その後、一列目の物品Ａの隣りに適宜な間隔（緩衝空間Ｋ）をあけて二列目の物品Ａを立てた状態で積み込む。一列目および二列目の物品Ａは、外側柱列３と、その隣りに位置する内側柱列５（内側サポート６）との間に位置させる。なお、一列目および二列目の物品Ａ，Ａを別々に積み込まずに、一括して積み込んでも差し支えない。
【００３４】
次に、図６の（ａ）に示すように、二列目の物品Ａに沿って一列目の内側柱列５を設置し、積載した物品Ａの倒れ等を防止する。一列目の内側柱列５を設置するには、図１に示すように、主材１１に沿って一直線上に配置された一列目の内側サポート６，６，…の各々に、内側支柱５１を立設すればよい。なお、内側支柱５１を内側サポート６に立設するには、図４に示すように、内側支柱５１の挿入部５１ａを内側サポート６の内空に挿入すればよい。
【００３５】
続いて、図６の（ａ）に示すように、一列目の内側柱列５に沿って、三列目の物品Ａおよび四列目の物品Ａを積み込み、四列目の物品Ａに沿って二列目の内側柱列５を設置して、積載した物品Ａの倒れ等を防止する。以後、この作業を繰り返すと、図６の（ｂ）に示すように、複数の物品Ａ，Ａ，…が内側柱列５，５，…で仕切られた状態でパレットＰ１に積載される。
【００３６】
なお、図７の（ａ）に示すように、総ての物品Ａを積載した段階か、若しくは、適宜な枚数の物品Ａを積載した段階で、隣り合う物品Ａ，Ａ間に形成された緩衝空間Ｋの上部に、緩衝材Ｃを配置するとよい。緩衝材Ｃは、Ｕ字状、Ｌ字状等を呈していて、緩衝空間Ｋに物品Ａの上側から挿入される。なお、緩衝材Ｃに加えて、図７の（ｂ）に示すように、緩衝空間Ｋの高さ方向の中央部に板状の緩衝材Ｃ’を配置してもよい。
【００３７】
総ての物品ＡをパレットＰ１に積載したら、必要に応じて、外側支柱３１に設けたフック３３に図示せぬ荷紐を掛止し、物品Ａ，Ａ，…を結束するとよい。
【００３８】
パレットＰ１から物品Ａを荷下ろしする場合には、緩衝材Ｃを除去し、さらに、必要に応じて内側支柱５１を内側サポート６から引き抜いてパレット本体１から離脱させたうえで、物品Ａを上方に引き上げればよい。なお、複数の物品Ａ，Ａ，…が横並びに積載されているので、積載位置に拘らず、一の物品Ａだけを取り出すことができる。
【００３９】
なお、搬送用車両の荷台や保管場所に移動させる場合には、図示せぬフォークリフトのフォークをフォークガイド１４，１４（図１参照）に挿入してパレットＰ１を持ち上げればよい。なお、図８に示すように、物品Ａ，Ａ，…が積載されたパレットＰ１を下側に位置する他のパレットＰ１’の上に積層する場合には、上側のパレットＰ１の台座３２を下側のパレットＰ１’の外側支柱３１の上端部に覆い被せ、下側のパレットＰ１’の外側支柱３１，３１，…に上側のパレットＰ１を支持させるとよい。このようにすると、複数のパレットＰ１，Ｐ１，…を安定的に積層することが可能となる。
【００４０】
また、図９の（ａ）および（ｂ）に示すように、空荷のパレットＰ１を搬送・保管する場合には、総ての内側柱列５，５，…をパレット本体１から離脱させて、外側柱列３，３の間に仕切の無い空間を形成したうえで、そのパレット本体１の上面に他のパレットＰ１を積層すればよい。なお、複数の空荷のパレットＰ１，Ｐ１，…を積層する場合には、図９の（ｂ）に示すように、上側のパレットＰ１の外側支柱３１と下側のパレットＰ１の外側支柱３１とが干渉しないように、上下のパレットＰ１，Ｐ１をパレット本体１の長手方向（図９の（ｂ）において左右方向）にずらすとよい。
【００４１】
以上説明した本実施形態に係るパレットＰ１によると、複数の物品Ａ，Ａ，…を横並びに積載することが可能となるので、積載した物品Ａを、その積載位置に拘らず簡易迅速に取り出すことが可能となる。
【００４２】
また、本実施形態に係るパレットＰ１によると、図１に示すように、物品を仕切る内側支柱５１，５１，…を着脱可能にパレット本体１に立設したので、内側支柱５１を着脱不能にパレット本体に立設してなるパレットに比べて、物品を迅速に積み下ろすことが可能となる。すなわち、内側支柱５１が着脱不能である場合には、内側支柱５１の存在を気にしながら物品を積み下ろさなければならないので、ゆっくりとした動作で物品を取り扱わなければならないが、内側支柱５１が着脱可能である本実施形態に係るパレットＰ１によれば、内側支柱５１を取り外すことで、内側支柱５１の存在を気にせずに物品を積み下ろすことが可能となるので、素早い動作で物品を取り扱うことが可能となる。また、本実施形態に係るパレットＰ１によれば、内側支柱５１を取り外した状態で物品を積み下ろすことが可能となるので、内側支柱５１で物品を傷つけることもない。
【００４３】
さらに、本実施形態に係るパレットＰ１によると、着脱不能な内側支柱５１を備えるパレットに比べて、物品を密に積載することが可能となるので、複数の物品を上下方向に積層した場合と同等の積載量を確保することが可能となる。すなわち、内側支柱５１が着脱不能である場合には、積み下ろす際に物品が内側支柱５１に接触しないように、物品と内側支柱５１との間に大きな緩衝空間を確保しておく必要があるので、物品を上下に積層する場合に比べて、物品の積載量を少なくせざるを得ないが、本実施形態に係るパレットＰ１によれば、内側支柱５１を取り外した状態で物品を積み下ろすことが可能なるので、物品と内側支柱５１との間に大きな緩衝空間を確保する必要はなく、したがって、物品を密に積載することが可能となる。
【００４４】
なお、本実施形態に係るパレットＰ１においては、外側柱列３および内側柱列５によって物品の倒れや横ズレが防止されることになるが、外側柱列３および内側柱列５が細長の「柱」で構成されているので、物品の倒れ等を板材で防止するパレットよりも、軽量化を図ることが可能となる。パレットＰ１が軽量になれば、その分だけ物品の積載量を増やすことができるので、搬送効率が向上することになる。
【００４５】
また、本実施形態に係るパレットＰ１においては、外側支柱３１に、緩衝材３４が貼着されているので（図３参照）、外側支柱３１を介して物品に加わる搬送中の振動や衝撃を和らげることが可能となる。同様に、本実施形態に係るパレットＰ１においては、内側支柱５１が緩衝材５２，５２，…によって囲繞されているので（図４参照）、内側支柱５１を介して物品に加わる振動や衝撃を和らげることが可能となる。
【００４６】
また、本実施形態においては、二列の外側柱列３，３を、パレット本体１を挟んで対向させているので（図２参照）、パレット本体１の上に、他のパレットＰ１を積層することが可能となる。すなわち、本実施形態に係るパレットＰ１によれば、図９の（ａ）および（ｂ）に示すように、物品を積載していない空荷のパレットＰ１を効率よく搬送・保管することが可能となる。
【００４７】
なお、本実施形態では、梯子状を呈するパレット本体１を例示したが、パレット本体１の構成を限定する趣旨ではない。例えば、図示は省略するが、パレット本体１の上面や下面に板材を敷設するなどしても差し支えない。また、同じく図示は省略するが、パレット本体１の上面（すなわち、主材１１、補強材１２および横桟１３の上面）に緩衝材を敷設しても差し支えない。
【００４８】
本実施形態では、外側支柱サポート４を介して外側支柱３１をパレット本体１に立設固定する場合を例示したが、これに限定されることはなく、図示は省略するが、外側支柱サポート４を省略し、外側支柱３１を直にパレット本体１に立設固定しても差し支えない。また、本実施形態では、外側支柱３１をパレット本体１の側面に立設固定する場合を例示したが、これに限定されることはなく、図示は省略するが、パレット本体１の上面に立設固定しても勿論差し支えない。
【００４９】
本実施形態では、内側サポート６をパレット本体１の横桟１３の側面に固定する場合を例示したが、これに限定されることはなく、図示は省略するが、横桟１３の上面（すなわち、パレット本体１の上面）に立設固定しても勿論差し支えない。
【００５０】
本実施形態では、内側支柱５１に係止部５１ｂを形成し、この係止部５１ｂを内側サポート６に係止させることで、内側支柱５１の位置決めを行うとともに、下方向への抜け出しを防止したが、例えば、内側サポート６の内部に内側支柱５１の下端面を支持する底部や突起などを形成することで、内側支柱５１の位置決めを行うとともに、下方向への抜け出しを防止してもよい。なお、この場合には、係止部５１ｂを省略してもよい。
【００５１】
本実施形態では、内側支柱５１の挿入部５１ａを内側サポート６の内部に挿入したが、これに限定されることはなく、内側支柱５１の挿入部５１ａの内空を内側サポート６の外形よりも大きくして、挿入部５１ａの内部に内側サポート６を挿入してもよい。
【００５２】
（第二の実施形態）
前記した第一の実施形態では、外側支柱３１を着脱不能にした場合を例示したが、図１０に示す第二の実施形態に係るパレットＰ２のように、内側支柱５１に加えて、外側支柱７１を着脱可能としてもよい。
【００５３】
図１０に示すように、パレットＰ２は、パレット本体１と、このパレット本体１に立設される二列の外側柱列７，７と、この二列の外側柱列７，７の間に配置される少なくとも一列（図１０では二列のみを図示）の内側柱列５とを備えて構成されていて、内側柱列５を挟んで両側に物品を積載可能になっている。なお、パレット本体１および内側柱列５の構成は、第一の実施形態に係るパレットＰ１のものと同様であるので、その詳細な説明は省略する。
【００５４】
外側柱列７は、パレット本体１の長辺（すなわち、主材１１）に沿って配置された少なくとも二つ（本実施形態では九つ）の外側支柱７１，７１，…からなる。なお、二列の外側柱列７，７は、パレット本体１を挟んで対向している。
【００５５】
外側支柱７１は、パレット本体１の外側の側面に配置された外側サポート８を介してパレット本体１に着脱可能に立設されている。図１１に示すように、外側支柱７１は、その下端部に、外側サポート８の後記する保持部８２の内部に挿入される挿入部７１ａを具備している。挿入部７１ａは、外側サポート８の保持部８２の内空形状と略等しい外形を有し、保持部８２に抜き差しされる。挿入部７１ａの上側には、外側サポート８の保持部８２に係止される係止部７１ｂが形成されている。係止部７１ｂは、本実施形態では、外側支柱７１の外周面に突設された突条からなり、挿入部７１ａを外側サポート８の保持部８２に挿入したときに、保持部８２の上面に係止され、外側支柱７１の下方への抜け落ちを防止する。また、外側支柱７１の側面には、積載した物品の損傷を防止するための緩衝材７２が貼着されている。
【００５６】
外側サポート８は、外側支柱７１を着脱可能に保持するものであり、本実施形態では、対向して配置された一対の支持ブラケット８１，８１と、この一対の支持ブラケット８１，８１に挟持された保持部８２とを備えて構成されている。支持ブラケット８１は、山形（断面Ｌ字形）を呈しており、パレット本体１の側面（すなわち、主材１１の外側の側面）と保持部８２の側面とに溶接により固着されている。保持部８２は、外側支柱７１の挿入部７１ａを挿入可能な内空を有する角形の中空形材を利用して構成されている。なお、図示は省略するが、支持ブラケット８１を省略し、保持部８２を直にパレット本体１に固着しても差し支えない。
【００５７】
図１０に示すように、パレット本体１の一側面に配置された複数の外側サポート８，８，…のうちの少なくとも二つ（本実施形態では四つ）については、その保持部８２がパレット本体１の下側（より詳細には、フォークガイド１４の下側）まで延出していて、パレット本体１の支持脚としての役割をも担っている。図１１に示すように、支持脚となる外側サポート８の保持部８２には、その下端部に、円錐台状の台座８３が固着されている。また、支持脚となる外側サポート８の保持部８２には、横Ｌ字状を呈するフック８４が固着されている。なお、フック８４を具備する外側サポート８に保持される外側支柱７１にも、横Ｌ字状を呈するフック７３が固着されている。フック７３，８４には、物品を結束する荷紐が掛止される。
【００５８】
図１２を参照してパレットＰ２の使用方法の一例を説明する。パレットＰ２に複数の物品Ａ，Ａ，…を積み込む前に、図１２の（ａ）に示すように、まず、二列の外側柱列７，７のうちの一方（図では右側の外側柱列７）を取り外すとともに、総ての内側柱列５，５，…をパレット本体１から取り外す。
【００５９】
次に、図１２の（ｂ）に示すように、パレット本体１に設置された他方の外側柱列７に沿って、一列目の物品Ａおよび二列目の物品Ａを立てた状態で積み込み、その後、二列目の物品Ａに沿って一列目の内側柱列５を設置する。
【００６０】
続いて、一列目の内側柱列５に沿って、三列目の物品Ａおよび四列目の物品Ａを積み込み、二列目の内側柱列５を設置する。以下、この作業を繰り返し、最後に、図１３に示すように、取り外しておいた一方（図１３において右側）の外側柱列７を設置すればよい。なお、物品Ａ，Ａ，…を損傷させないように、第一の実施形態の場合と同様に、緩衝空間Ｋに、緩衝材Ｃ，Ｃ’を挟み込むとよい。
【００６１】
パレットＰ２から物品Ａを荷下ろしする場合には、必要に応じて、内側支柱５１を内側サポート６から引き抜いてパレット本体１から離脱させるとともに、外側支柱７１を外側サポート８から引き抜いてパレット本体１から離脱させたうえで、物品Ａを上方に引き上げればよい。
【００６２】
以上説明した第二の実施形態に係るパレットＰ２でも、複数の物品Ａ，Ａ，…を横並びに積載することが可能となるので、積載した物品Ａを、その積載位置に拘らず簡易迅速に取り出すことが可能となる。加えて、第二の実施形態に係るパレットＰ２によれば、外側支柱７１を取り外すことで、外側支柱７１の存在を気にせずに物品Ａを積み下ろすことが可能となるので、より一層素早い動作で物品Ａを取り扱うことが可能となる。
【００６３】
なお、本実施形態では、外側サポート８をパレット本体１の外側の側面に固定する場合を例示したが、これに限定されることはなく、図示は省略するが、パレット本体１の内側の側面やパレット本体１の上面に立設固定しても勿論差し支えない。
【００６４】
また、本実施形態では、外側支柱７１に係止部７１ｂを形成し、この係止部７１ｂを外側サポート８の保持部８２に係止させることで、外側支柱７１の位置決めを行うとともに、下方向への抜け出しを防止したが、例えば、外側サポート８の保持部８２の内部に外側支柱７１の下端面を支持する底部や突起などを形成することで、外側支柱７１の位置決めを行うとともに、下方向への抜け出しを防止してもよい。なお、この場合には、係止部７１ｂを省略してもよい。
【００６５】
また、本実施形態では、外側支柱７１の挿入部７１ａを外側サポート８の保持部８２の内部に挿入したが、これに限定されることはなく、外側支柱７１の挿入部７１ａの内空を保持部８２の外形よりも大きくして、挿入部７１ａの内部に保持部８２を挿入してもよい。
【図面の簡単な説明】
【００６６】
【図１】本発明の第一の実施形態に係るパレットを示す斜視図である。
【図２】本発明の第一の実施形態に係るパレットを示す斜視図であって、内側柱列を取り外した状態を示す斜視図である。
【図３】外側支柱の構成を説明するための分解斜視図である。
【図４】内側支柱の構成を説明するための分解斜視図である。
【図５】（ａ）および（ｂ）は本発明の第一の実施形態に係るパレットの使用方法の一例を説明するための断面図であって、物品の積み込み手順を説明するための断面図である。
【図６】（ａ）および（ｂ）は図５に続く物品の積み込み手順を説明するための断面図である。
【図７】（ａ）および（ｂ）は本発明の第一の実施形態に係るパレットに物品を積載した状態を示す断面図である。
【図８】物品を積載した状態のパレットを積層した状態を示す側面図である。
【図９】（ａ）は内側柱列を取り外した状態のパレットを積層した状態を示す側面図、（ｂ）は同じく正面図である。
【図１０】本発明の第二の実施形態に係るパレットを示す斜視図である。
【図１１】外側支柱の構成を説明するための分解斜視図である。
【図１２】（ａ）および（ｂ）は本発明の第二の実施形態に係るパレットの使用方法の一例を説明するための断面図であって、物品の積み込み手順を説明するための断面図である。
【図１３】図１２に続く物品の積み込み手順を説明するための断面図である。
【符号の説明】
【００６７】
Ｐ１，Ｐ２  パレット
１        パレット本体
３，７    外側柱列
３１，７１  外側支柱
５        内側柱列
５１      内側支柱
５２      緩衝材
Ａ        物品
【図１】
2007320572.tif 000003
【図２】
2007320572.tif 000004
【図３】
2007320572.tif 000005
【図４】
2007320572.tif 000006
【図５】
2007320572.tif 000007
【図６】
2007320572.tif 000008
【図７】
2007320572.tif 000009
【図８】
2007320572.tif 000010
【図９】
2007320572.tif 000011
【図１０】
2007320572.tif 000012
【図１１】
2007320572.tif 000013
【図１２】
2007320572.tif 000014
【図１３】
2007320572.tif 000015